(57)【要約】  【課題】正しいゴルフスイングの練習が容易にできるスイングサポータを提供する。  【解決手段】スイングサポータ２の肩掛凹部17を装着者の両肩に掛けて固定する。スイングサポータ２の巻き付け部６を装着者の上腕の内側から外側に巻き付ける。巻き付け部６の先端部のクリップ体９を、装着者の手首に装着したリストバンドに固定する。スイングサポータ２の弾性力にて装着者の両腕が身体側に引き寄せられ前後方向のぶれが規制される。装着者の姿勢がゴルフのスイングに適した姿勢となる。スイングサポータ２の装着にてゴルフのスイングの正しいフォームを容易に練習できる。  【選択図】図１
2006055267.tif 000002
【特許請求の範囲】
【請求項１】
弾性を有する帯紐にて形成したたすき本体と、
このたすき本体の両側に設けられ人体の上腕の内側から外側に巻き付けられるとともに先端部が前記人体の手首に装着されたサポータに取り付けられる弾性を有する帯紐にて形成した一対の巻き付け部と
を具備したことを特徴としたゴルフスイング練習具。
【請求項２】
サポータは、グローブにて形成されている
ことを特徴とした請求項１記載のゴルフスイング練習具。
【請求項３】
たすき本体は、人体の両肩にたすき掛けされるたすき掛け部と、
このたすき掛け部の両側部の長さが調節可能なたすき調節部とを備えた
ことを特徴とした請求項１または２記載のゴルフスイング練習具。
【請求項４】
一対の巻き付け部は、長さが調節可能な巻き付け調節部を備えた
ことを特徴とした請求項１ないし３いずれか記載のゴルフスイング練習具。
【発明の詳細な説明】
【技術分野】
【０００１】
本発明は、ゴルフのスイングが正しいフォームとなるように練習するゴルフスイング練習具に関する。
【背景技術】
【０００２】
従来、この種のゴルフスイング練習補助具は、先端部にゴルフクラブを装着し後方に二本の支持部が設けられたクラブ固定竿を備えている。このクラブ固定竿の各支持部の間には、ゴルフクラブのグリップ把持空間が形成されている。さらに、このゴルフスイング練習補助具は、ゴルフクラブのシャフト部を固定板と可動板との間で挟持固定させて、クラブ固定竿の支持部の端部に連結具を介してゴルフクラブを把持する際に略Ｖ字状となって人体の両側の下腕を支持する腕受けが設けられた構成が知られている(例えば、特許文献１参照。)。
【特許文献１】特開２００３−２３０６４８号公報
【発明の開示】
【発明が解決しようとする課題】
【０００３】
しかしながら、上述したゴルフスイング練習具では、人体の下腕とゴルフクラブとの間に装着され、人体の下腕が拘束されるに過ぎない。したがって、このゴルフスイング練習具を装着してゴルフクラブのスイングを練習するときに、両腕が前後方向に動いてぶれてしまうおそれがある。このため、両腕を身体側に引き寄せつつ身体に沿ってゴルフクラブをスイングすることが容易ではないため、正しいフォームでゴルフのスイングを練習することが容易ではないという問題を有している。
【０００４】
本発明は、このような点に鑑みなされたもので、正しいフォームでゴルフのスイングが容易に練習できるゴルフスイング練習具を提供することを目的とする。
【課題を解決するための手段】
【０００５】
請求項１記載のゴルフスイング練習具は、弾性を有する帯紐にて形成したたすき本体と、このたすき本体の両側に設けられ人体の上腕の内側から外側に巻き付けられるとともに先端部が前記人体の手首に装着されたサポータに取り付けられる弾性を有する帯紐にて形成した一対の巻き付け部とを具備したものである。
【０００６】
そして、弾性を有する帯紐にて形成したたすき本体を人体にたすき掛けする。この後、このたすき本体の両側に設けられている一対の巻き付け部のそれぞれを人体の上腕の内側から外側に巻き付けてから、これら一対の巻き付け部それぞれの先端部を、人体の手首に装着されているサポータに取り付ける。この結果、人体の両腕が身体側に引き寄せられて動きが規制されるから、ゴルフのスイングを練習する際に両肘がみだりに振れることがなくなる。したがって、ゴルフのスイングを練習するときに、両腕の前後方向へのぶれが規制されるので、両腕を身体側に引き寄せて動かすことが容易にできるから、正しいフォームでゴルフのスイングを容易に練習できる。
【０００７】
請求項２記載のゴルフスイング練習具は、請求項１記載のゴルフスイング練習具において、サポータは、グローブにて形成されているものである。
【０００８】
そして、サポータをグローブにて形成することにより、ゴルフのスイングをするときに用いるグローブを利用できるから、このサポータの使い勝手がより向上する。
【０００９】
請求項３記載のゴルフスイング練習具は、請求項１または２記載のゴルフスイング練習具において、たすき本体は、人体の両肩にたすき掛けされるたすき掛け部と、このたすき掛け部の両側部の長さが調節可能なたすき調節部とを備えたものである。
【００１０】
そして、たすき本体の人体の両肩にたすき掛けされるたすき掛け部の両側部の長さをたすき調節部にて調節可能とした。この結果、これらたすき調節部にてたすき掛け部の両側部の長さを調整することによって、体格差のある様々な人に対してもたすき掛け部を人体の両肩にしっかりとたすき掛けできる。したがって、体格差のある様々な人に対応させて用いることができる。
【００１１】
請求項４記載のゴルフスイング練習具は、請求項１ないし３いずれか記載のゴルフスイング練習具において、一対の巻き付け部は、長さが調節可能な巻き付け調節部を備えたものである。
【００１２】
そして、一対の巻き付け部の長さを巻き付け調節部にて調節可能とした。この結果、これら巻き付け調節部にて巻き付け部の長さを調整することによって、腕の長さや太さの異なる様々な人に対しても巻き付け部を人体の上腕の内側から外側に巻き付けつつ、これら巻き付け部それぞれの先端部を人体の手首に装着されたサポータに取り付けられる。したがって、腕の長さや太さの異なる様々な人に対応させて用いることができる。
【発明の効果】
【００１３】
請求項１記載のゴルフスイング練習具によれば、たすき本体を人体にたすき掛けした後に、一対の巻き付け部のそれぞれを人体の上腕の内側から外側に巻き付けてから、これら一対の巻き付け部それぞれの先端部を、人体の手首に装着したサポータに取り付けることにより、人体の両腕が身体側に引き寄せられて動きが規制され、ゴルフのスイングを練習する際に両肘がみだりに振れることがなくなるので、ゴルフのスイングを練習するときに両腕の前後方向へのぶれが規制され、両腕を身体側に引き寄せて動かすことが容易にできるため、正しいフォームでゴルフのスイングを容易に練習できる。
【００１４】
請求項２記載のゴルフスイング練習具によれば、サポータをグローブにて形成したことにより、ゴルフのスイングをするときに用いるグローブを利用できるので、このサポータの使い勝手をより向上できる。
【００１５】
請求項３記載のゴルフスイング練習具によれば、たすき調節部にてたすき掛け部の両側部の長さを調整することによって、体格差のある様々な人に対してもたすき掛け部を人体の両肩にしっかりとたすき掛けできるので、体格差のある様々な人に対応させて用いることができる。
【００１６】
請求項４記載のゴルフスイング練習具によれば、巻き付け調節部にて巻き付け部の長さを調整することによって、腕の長さや太さの異なる様々な人に対しても巻き付け部を人体の上腕の内側から外側に巻き付けつつ、これら巻き付け部それぞれの先端部を人体の手首に装着されたサポータに取り付けられるから、腕の長さや太さの異なる様々な人に対応させて用いることができる。
【発明を実施するための最良の形態】
【００１７】
本発明の第１の実施の形態のゴルフスイング練習具の構成を図１ないし図４を参照して説明する。
【００１８】
図１ないし図４において、１はゴルフスイング練習補助具である。このゴルフスイング練習補助具１は、正しいフォームでゴルフのスイングを容易に練習させる。そして、このゴルフスイング練習補助具１は、ゴルフスイング練習具としての上身サポータであるスイングサポータ２を備えている。このスイングサポータ２は、人体としての装着者Ａが、ゴルフクラブ３のグリップ部3aを握ってスイングを練習する際に、この装着者Ａのスイングフォームを正しく矯正させる。すなわち、このスイングサポータ２は、装着者Ａがゴルフのスイングを練習する際に、この装着者Ａの両腕を身体側に引き寄せつつ、これら両腕の前後方向への移動を規制させる。
【００１９】
言い換えると、このスイングサポータ２は、ゴルフクラブ３のスイング時に両腕Ｃの動きを規制して両肘Ｈがみだりにぶれるのを防止する。よって、このスイングサポータ２は、ゴルフクラブ３のスイング時に生じる両腕Ｃの前後方向へのぶれを規制して両腕Ｃが装着者Ａの身体側に引き寄せられた状態で動くようにする。具体的に、このスイングサポータ２は、長手方向に沿った弾性を有する帯紐にて形成されており、装着者Ａの背部Ｄから両腕Ｃをサポートして、この装着者の両腕Ｃが身体側に引き寄せられるように規制する。
【００２０】
そして、このスイングサポータ２は、長手方向に沿って伸縮可能な弾性を有する帯紐にて形成された細長帯状の本体ベルト５を備えている。そして、この本体ベルト５の両端部である延出部としての巻き付け部６のそれぞれは、装着者Ａの背部Ｄ側から取り付けられて、この装着者Ａの上腕Ｉの内側から外側に向けて、この装着者Ａの両腕Ｃに巻き付けられる細長帯状に形成されている。そして、これら巻き付け部６は、これら巻き付け部６の長手方向の先端部が装着者Ａの手首Ｅ近傍の位置まで届く程度の長さ寸法を有している。
【００２１】
また、これら巻き付け部６の長手方向の先端寄りの位置には、これら巻き付け部６の長さを調節可能にする巻き付け調節部としての長さ調節機構８がそれぞれ設けられている。さらに、これら巻き付け部６の長手方向の両端部には、クリップ体９がそれぞれ取り付けられている。これらクリップ体９は、装着者Ａの手首Ｅに取り付けた取付手段としてのサポータであるリストバンド11に、本体ベルト５の各巻き付け部６の先端部を取り外し可能に取り付けさせて接続させて固定させる。
【００２２】
そして、この本体ベルト５の長手方向の中央部には、長手方向に沿って伸縮可能な細長帯状の肩掛ベルト12が取り付けられている。この肩掛ベルト12は、この肩掛ベルト12の長手方向の中央部が本体ベルト５の長手方向の中央部に縫い合わされるなどして連結されて固定されている。また、この肩掛ベルト12の長手方向の先端寄りの位置には、この肩掛ベルト12の両端部の長さを調節可能にさせるたすき調節部としての長さ調節機構13がそれぞれ設けられている。
【００２３】
さらに、この肩掛ベルト12の両端部には、この肩掛ベルト12の両端部を本体ベルト５の基端側の縁部に取り外し可能に取り付けさせて接続させるクリップ体14がそれぞれ取り付けられている。これらクリップ体14は、本体ベルト５の長手方向の中央部よりも基端寄りの位置にそれぞれが着脱可能に取り付けられている。ここで、これらクリップ体14間の本体ベルト５と肩掛ベルト12とによってスイングサポータ２の中央部であるたすき本体15が形成されている。なお、このたすき本体15より突出している本体ベルト５の両側の先端部分が巻き付け部６である。
【００２４】
そして、このたすき本体15は、長手方向に沿った弾性を有する帯紐にて形成されており、各クリップ体14間に位置する本体ベルト５と肩掛ベルト12とによって構成された略８の字状のたすき掛け部16を備えている。このたすき掛け部16は、各クリップ体14間の本体ベルト５と肩掛ベルト12とによって構成された環状の一対の肩掛凹部17を有している。これら一対の肩掛凹部17は、装着者Ａの両肩Ｆに掛けられて固定される。なお、これら一対の肩掛凹部17は、各クリップ体14による本体ベルト５への取り付け位置を調整することによって、これら肩掛凹部17の長さ、すなわち大きさが調節できるように構成されている。
【００２５】
次に、上記第１の実施の形態のゴルフスイング練習具の作用について説明する。
【００２６】
まず、スイングサポータ２の一対の肩掛凹部17のそれぞれに装着者Ａの腕Ｃを通して、このスイングサポータ２のたすき掛け部16を装着者Ａの両肩Ｆにたすき掛けする。
【００２７】
このとき、このスイングサポータ２の各肩掛凹部17の大きさが装着者Ａの肩Ｆの大きさに合わない場合には、このスイングサポータ２の肩掛ベルト12の両端部に取り付けられているクリップ体14の取り付け位置を適宜変更させるとともに、この肩掛ベルト12の両端部に設けられている長さ調節機構13にて、この肩掛ベルト12の長さを調節する。
【００２８】
この後、このスイングサポータ２の本体ベルト５の巻き付け部６を、装着者Ａの上腕Ｉの内側から外側に向けて、この装着者Ａの両腕Ｃに一回転ほど巻き付けた後、この本体ベルト５の各巻き付け部６の先端部に取り付けられているクリップ体９を、予め装着者Ａの手首Ｅに取り付けたリストバンド11に取り付けて固定する。
【００２９】
このとき、これら巻き付け部６の長さが装着者Ａの腕Ｃの長さに合わない場合には、これら巻き付け部６に設けられている長さ調節機構８にて、これら巻き付け部６の長さを調節する。
【００３０】
この結果、このスイングサポータ２の本体ベルト５および肩掛ベルト12のそれぞれが有する弾性力によって、このスイングサポータ２を装着した装着者Ａの両腕Ｃが身体側に引き寄せられて、これら両腕Ｃの前後方向のぶれが規制された状態となるとともに、装着者Ａの体とともに両腕Ｃを一体的に動かすことができるようになる。
【００３１】
したがって、この装着者Ａの姿勢が、両腕Ｃが身体側に引き寄せられて、この状態がスイングサポータ２の弾性力によって保持されるから、ゴルフクラブ３のスイング時に両肘Ｈがみだりに前後方向あるいは左右方向に揺れたりぶれたりせず、両腕Ｃの角度が保持された状態で装着者Ａの身体側に両腕Ｃが引き寄せられた状態で、これら両腕Ｃを体とともに一体化させて、これら両腕Ｃおよび体を常に同じ軌跡で動かすことができるゴルフのスイングに適した姿勢となる。
【００３２】
この状態で、図２に示すように、ゴルフクラブ３のグリップ部3aを両手で握って、ゴルフボール４を打つ前のアドレス姿勢をとる。このとき、スイングサポータ２のたすき掛け部16が有する弾性力によって、装着者Ａがアドレスをとった状態で猫背になることが防止される。この結果、装着者Ａが猫背になることによって生じる手Ｇの位置の下がり過ぎ、いわゆるハンドダウンを防止できる。
【００３３】
またこのとき、スイングサポータ２の各巻き付け部６が有する弾性力によって、装着者Ａの両腕Ｃが身体側に引き寄せられた状態となるから、これら両腕Ｃの位置が自然に規制され、ゴルフクラブ３のグリップ部3aの端部から装着者Ａの腰元Ｊまでの距離が握りこぶし１個半から２個程度のアドレス姿勢に適した状態となる。
【００３４】
次いで、この状態からゴルフクラブ３を後方に引き上げてバックススイングする。
【００３５】
このとき、スイングサポータ２の各巻き付け部６が有する弾性力によって、体とともに両腕Ｃが一体化されて移動するから、バックスイング時に装着者Ａの左肩Ｆが右へ押し込まれるようになる。
【００３６】
またこのとき、スイングサポータ２の各巻き付け部６の弾性力によって、ゴルフクラブ３のグリップ部3aが右腰のあたりに来るまで、アドレス姿勢のときに両腕Ｃおよび両肩Ｆによって形成された逆三角形が崩れず左手Ｇの甲が上に向くことなくゴルフクラブ３をバックスイングできる。
【００３７】
さらに、この状態から体を回転させる。このときもまた、スイングサポータ２の各巻き付け部６が有する弾性力によって、体とともに両腕Ｃが回転されるので、装着者Ａの両腕Ｃあるいは両手Ｇの捻れや、手首Ｅのローリングが防止される。
【００３８】
この後、左腕Ｃが地表面に対して略平行となるまで体を回転させつつ、左手Ｇの親指方向に向けて手首Ｅをコックさせて、ゴルフクラブ３を地表面に対して略垂直にする。
【００３９】
このときもまた、スイングサポータ２の弾性力によって、装着者Ａの両腕Ｃの前後方向へのぶれが防止されるので、装着者Ａの両腕Ｃを身体側に引き寄せた状態でゴルフクラブ３をスイングする際の軌道、いわゆるスイングプレーンに沿ってゴルフクラブ３を立ち上がらせることができる。
【００４０】
したがって、このゴルフクラブ３のバックスイング時に、ゴルフクラブ３のヘッド部3bのインパクト面をゴルフボール４に向けたまま真っ直ぐに引くことができるので理想的なバックスイングホームとなる。すなわち、バックスイングの動きに誤りがあると、ダウンスイング以降に、その反動が出て正しくゴルフボール４を打つことができにくくなる。
【００４１】
この状態から、図３に示すように、ゴルフボール４と装着者Ａの首Ｋの付け根とを結んだ線の延長線上に装着者Ａの両手Ｇが位置する高さとなり、ゴルフクラブ３が地表面およびゴルフボール４を飛ばす方向のそれぞれに対して略平行となるまでゴルフクラブ３のグリップ部3aをさらに振り上げてトップスイングをする。
【００４２】
このときもまた、スイングサポータ２の弾性力によって、装着者Ａの両腕Ｃが身体側に引き寄せられた状態で体とともに両腕Ｃが回転するから、装着者Ａの左手Ｇの甲とゴルフクラブ３のインパクト面3cとが平行となる。したがって、装着者Ａの左手首Ｅが手Ｇの平側に折れるとゴルフクラブ３のインパクト面3cが閉じてフックの要因になりやすく、この装着者Ａの左手首Ｅが手Ｇの甲側に折れるとゴルフクラブ３のインパクト面3cが開いてスライスの要因になりやすいから、トップスイング時の姿勢に起因するフックやスライスが防止される。
【００４３】
さらに、スイングサポータ２の弾性力によって、装着者Ａの両肩Ｆを落とさずに、アドレス時の前傾角度に対して平行かつ装着者Ａの首Ｋの後側を動かすことなく体を捻ることができる理想的なトップスイングホームとなる。
【００４４】
この状態から、左足のかかを落としてから膝、腰、肩Ｆおよび腕Ｃの順で体の回転を戻しながら、装着者Ａの手首Ｅがトップスイング時の角度のまま引き下ろされるように左腕Ｃでゴルフクラブ３を引き下ろすように振り下ろしてダウンスイングする。
【００４５】
このときもまた、スイングサポータ２の弾性力によって、トップスイングからいきなり右手Ｇでゴルフボール４を打ちに行ったり、コックが速くほどけて右肩Ｆがゴルフボール４に突っ込んだりするなどの両腕Ｃのぶれが規制されるので、スライスが出にくくなる。
【００４６】
さらに、スイングサポータ２の弾性力によって、スイングプレーンに沿ってゴルフクラブ３が立てられた状態で振り下ろされるので、ゴルフクラブ３のグリップ部3aの端部がゴルフボール４に向ってトップスイングから真っ直ぐに下ろされるから、ゴルフクラブ３がねてインパクト面3cが開くなどのスライスがひどくなる動作が防止される。
【００４７】
またこのとき、装着者Ａの首Ｋの付け根を前後左右に動かさないようにするとともに、ゴルフクラブ３のグリップ部3aが装着者Ａの右腰のあたりにくるまで、ゴルフクラブ３のコック状態を保持する。このときもまた、スイングサポータ２の弾性力によって、装着者Ａの両腕Ｃの動きが均等に規制されるので、左手Ｇだけでゴルフクラブ３を引き下ろしたり、右手Ｇでゴルフボール４を打とうしてコックが早くほどけたりしてしまうなどの動作が防止される。
【００４８】
さらに、ゴルフボール４のインパクト時には、腰を右から左へと移動させる。このとき、装着者Ａの下半身がアドレス状態よりも左側に移動しているが、この装着者Ａの上半身をアドレス状態と同じようにゴルフボール４と正対させる。
【００４９】
またこのとき、スイングサポータ２の弾性力によって、アドレス時と同様に装着者Ａの両腕Ｃが身体側に引き寄せられ前後方向のぶれが規制された状態となるから、アドレス時のグリップポジションでゴルフボール４をインパクトできる。
【００５０】
すなわち、スイングサポータ２の弾性力によって、装着者Ａの左脇Ｌが締められ腕Ｃが伸ばされた状態が保持される。したがって、左肘Ｈから引けてしまって脇Ｌが開いてゴルフクラブ３のインパクト面3cが開いてしまうなどのスライスが出やすい動作が防止される。
【００５１】
この状態から、ゴルフクラブ３を振り抜いてフォロースルーする。このときもまた、スイングサポータ２の弾性力によって、装着者Ａの体の回転に沿って身体側に両腕Ｃが引き寄せた状態でゴルフクラブ３を振ることができるととともに、打ったゴルフボール３の飛球線よりも内側にゴルフクラブ３を振り抜くことができる。したがって、装着者Ａの左脇Ｌを締めつつ頭をゴルフボール４の後ろに残した状態で右腕Ｃを伸ばすように振ることができる。
【００５２】
この後、ゴルフクラブ３のグリップ部3aが装着者Ａの腰の高さまで上がったら、それ以上ゴルフクラブ３を内側に引っ張り込まず、左耳の上に向けて両手Ｇを上げていく。
【００５３】
この状態から、図４に示すように、装着者Ａのへそが目標方向を示すまで体を回転させてトップスイングを１８０゜右に回転させた形にする。このとき、自然と顔が上がり打ったゴルフボールを目で追えるフィニッシュの状態なる。
【００５４】
上述したように、上記第１の実施の形態によれば、スイングサポータ２を装着することにより、このスイングサポータ２が有する弾性力によって装着者Ａの両腕Ｃが身体側に引き寄せられて、ゴルフクラブ３のスイング時に生じる両腕Ｃの前後方向へのぶれが規制されるので、両腕Ｃが前後方向にぶれることなく装着者Ａの身体側に両腕Ｃを引き寄せた状態で動かすことができるゴルフのスイングに適した姿勢となる。
【００５５】
したがって、このスイングサポータ２を装着してから、ゴルフクラブ３のグリップ部3aを握って、ゴルフボール４を打つ前のアドレスを取った際に、この装着者Ａの両手Ｇが身体側に引き寄せられた正しいアドレス姿勢となる。このため、この状態でゴルフのスイングを練習することによって、両腕Ｃを身体側に引き寄せた状態で体ともに両腕Ｃを一体的に移動できる状態となるから、正しいフォームでゴルフのスイングを容易に練習できる。
【００５６】
具体的には、このスイングサポータ２を装着してゴルフのスイングを練習した際に、このスイングサポータ２の巻き付け部６の弾性力によってスイングの途中に装着者Ａの両腕Ｃが身体側に引き寄せられ前後方向にぶれ難くなる。したがって、装着者Ａの両腕Ｃを身体側に引き寄せつつ前後方向にぶれずにゴルフクラブ３をスイングできるから、このゴルフクラブ３のスイング時に、このゴルフクラブ３のヘッド部3bの軌道が歪んだり、ゴルフクラブ３を捻ってスイングしたりしてゴルフクラブ３のヘッド部3bのインパクト面3cがぶれたりなどしなくなる。したがって、無理な力を入れることなく正しいフォームでゴルフクラブ３を自然にスイングできるから、このフォームでゴルフボール４をショットすることによって、ゴルフボール４の飛距離をより長くできるとともに、このゴルフボール４を正確に飛ばすことができる。
【００５７】
さらに、スイングサポータ２の各巻き付け部６の先端部に取り付けられているクリップ体９を、装着者Ａの手首Ｅに装着させたリストバンド11に固定させる構成とした。この結果、このスイングサポータ２の各巻き付け部６それぞれの先端部を容易に装着者Ａの手首Ｅに固定できるから、装着者Ａの両腕Ｃへの巻き付け部６の取り付けを容易にできる。
【００５８】
また、スイングサポータ２の本体ベルト５の長さ調節機構７および肩掛ベルト12の長さ調節機構13のそれぞれによって、これら本体ベルト５および肩掛ベルト12の長さを装着者Ａの肩Ｆの大きさや腕Ｃの長さに合わせて調節できる。さらに、このスイングサポータ２の肩掛ベルト12のクリップ体14による本体ベルト５への取り付け位置を、装着者Ａの肩Ｆの大きさに合わせて変更することによって、このスイングサポータ２のたすき掛け部16の一対の肩掛凹部17それぞれの大きさを調整できる。
【００５９】
この結果、体格差のある様々な人に対してもたすき掛け部16の一対の肩掛凹部17を装着者Ａの両肩Ｆにしっかりと掛けて固定できるとともに、腕Ｃの長さや太さの異なる様々な人に対しても巻き付け部６を装着者Ａの背部Ｄ側から内側に巻き付けて装着者Ａの腕Ｃに効果的に取り付けることができつつ、これら巻き付け部６の先端部を装着者Ａの手首Ｅに確実かつ適切に固定できる。したがって、肩Ｆの大きさや腕Ｃの長さあるいは太さなどが異なる様々な人、すなわち身長差や体格差のある様々な装着者Ａに対応させて、スイングサポータ２の長さや大きさを調節できる。よって、このスイングサポータ２を種々の人に対応させて用いることができるので、このスイングサポータ２の汎用性を向上できる。
【００６０】
なお、上記第１の実施の形態では、スイングサポータ２の各巻き付け部６の先端部のクリップ体９を、装着者Ａの手首Ｅに装着させたリストバンド11に固定させたが、図５に示す第２の実施の形態のように、これらクリップ体９を、装着者の手Ｇに装着されて取り付けられているサポータとしてのグローブ18の縁部19に取り付けて固定させることもできる。この場合、これらクリップ体９を、装着者Ａの手Ｇに装着させたグローブ18の縁部19に取り付けることによって、巻き付け部６の先端部が装着者Ａの手首Ｅ近傍の位置に確実に固定されるから、上記第１の実施の形態と同様の作用効果を奏することができる。
【００６１】
さらに、一般的にゴルフプレーヤがゴルフクラブ３をスイングするときに用いるグローブ18の縁部19に、スイングサポータ２の巻き付け部６の先端部のクリップ体９を取り付けて固定させることによって、このグローブ18をゴルフスイング練習補助具１として利用できる。このため、このスイングサポータ２の巻き付け部６の先端部を固定させるために必要なリストバンド11の個数を少なくできる。したがって、スイングサポータ２を使用する際に、このスイングサポータ２以外に別途容易するリストバンド11の個数を少なくできるから、このスイングサポータ２の使い勝手をより向上できる。
【００６２】
また、図６ないし図９に示す第３の実施の形態のように、スイングサポータ２と同時に、ゴルフクラブ３のグリップ部3aを握る角度などを規制するスイング補助具21を用いることもできる。この場合、このスイング補助具21は、ゴルフスイング練習補助具１の一部であって、ゴルフクラブ３のグリップ部3aに取り付けられる。そして、このスイング補助具21は、基体22と左右一対の手首保持部23とを有している。この基体22は略円筒状に形成されており、この基体22の前端部には上面に開口したグリップ嵌合部24が形成されている。また、このグリップ嵌合部24の開口縁25は、筒状に突出して形成されている。さらに、このグリップ嵌合部24は、基体22の前後方向となるコック方向とアンコック方向との往復方向に揺動可能にゴルフクラブ３のグリップ部3aの基端部を嵌合する。
【００６３】
また、このグリップ嵌合部24の開口縁25は、基体22の前面に前端側に向って下方に向って傾斜状に形成されている。さらに、このグリップ嵌合部24の開口縁25の前側部より高く形成された後側部は、このグリップ嵌合部24に嵌合されたゴルフクラブ３がコック方向に揺動したときに基体22とゴルフクラブ３とが略９０゜を保持するコック角度位置に揺動を規制するコック角度規制部26に形成されている。また、このグリップ嵌合部24の開口縁25の後側部より低く形成された前側部は、ゴルフクラブ３がアンコック方向に揺動したときに基体22とゴルフクラブ３とが略１３５゜を保持するアンコック角度位置に揺動を規制するアンコック角度規制部27に形成されている。
【００６４】
さらに、左右一対の手首保持部23は、弾性帯紐28にて形成されて連結されている。そして、これら両手首保持部23それぞれの弾性帯紐28の一端部は、基体22の前側下部にそれぞれ取り付けられるとともに、この基体22の後側上部に他端部がそれぞれ取り付けられて手首Ｅを挿通させて、この手首Ｅに装着できる環状に形成されている。また、これら両手首保持部23それぞれの弾性帯紐28の中間部は、分離されている。そして、これら弾性帯紐28の分離されている端部に設けた互いに係脱自在に係合される面ファスナ29にて弾性帯紐28の長さ寸法が調節可能になっている。
【００６５】
次に、上記第３の実施の形態の作用を説明する。
【００６６】
まず、図６に示すように、基体22に取り付けられたグリップ嵌合部24を上方向に向けた状態で、このグリップ嵌合部24にゴルフクラブ３のグリップ部3aの基端部を嵌合させて、このグリップ部3aを前後方向に揺動可能に保持させる。また、図７に示すように、両腕Ｃの手首Ｅに手首保持部23を装着するとともに、ゴルフクラブ３のグリップ部3aを両手Ｇで把持する。
【００６７】
この状態で、弾性帯紐28の環状に形成されている手首保持部23が、この弾性帯紐28の弾性にて両手首Ｅに装着される。このとき、この手首保持部23は、弾性帯紐28の弾力にて両手首Ｅをそれぞれ締め付けて、これら両手首Ｅを結び付けさせる。
【００６８】
そして、図７に示すように、両腕Ｃが一体感となった状態で、これら両腕Ｃを体の前に下げて、これら両腕Ｃと両肩Ｆとで三角形を形成してゴルフボール４に対する構えをする。そして、このゴルフボール４を構えたアドレス状態からトップスイングに向ってスイングすることによって、両腕Ｃと両肩Ｆとによって形成される三角形が崩れたり手首Ｅがローリングしたりせずにスイングできる。
【００６９】
次いで、ゴルフクラブ３のヘッド部3bが右足を過ぎる付近から身体の回転に伴ってゴルフクラブ３が立てられるコックが始まった場合には、基体22に弾性帯紐28にて取り付け手首保持部23介して両手首Ｅが結び付けられているので、両腕Ｃが一体感となった状態でゴルフクラブ３のグリップ部3aが基体22のグリップ嵌合部24で後方向となるコック方向に回動するように揺動する。
【００７０】
この後、図８に示すように、トップスイングコック位置でも両腕Ｃを体の前に下げて、これら両腕Ｃと両肩Ｆとで三角形を形成し、トップスイングで左手首Ｅが手Ｇのひら側に折れるようなこともなく、ゴルフクラブ３のグリップ部3aおよびヘッド部3bが常に同じ位置になるような感じを習得できる。
【００７１】
さらに、トップスイングの後、ゴルフボール４を打撃するインパクトまでのダウンスイングにおいても、基体22に弾性帯紐28で取り付けた手首保持部23を介して両手首Ｅが結び付けられているので、両腕Ｃが一体感となった状態で身体の前に下げられて、これら両腕Ｃと両肩Ｆとによって形成された三角形が保持される。
【００７２】
このとき、手首Ｅはトップスイングの形のままゴルフクラブを引き降ろすことができるので、コックが早く解けることなく、バックスイングのときと同じ位置でゴルフクラブ３のグリップ部3aが基体22のグリップ嵌合部24でアンコック方向に回動するように揺動する。したがって、アンコック状態でアドレスの状態になってゴルフボール４の打撃のインパクトができる。
【００７３】
またこのとき、弾性帯紐28によって基体22に取り付けた手首保持部23を介して両手首Ｅが結び付けられているので、左肘を引くことなく、ゴルフボール４をインパクトするときに、両手Ｇの中央にゴルフクラブ３が確実に位置したアドレス状態になる。
【００７４】
さらに、インパクト以後のゴルフクラブ３の振り抜きのフォロースルーも弾性帯紐28にて基体22に取り付けた手首保持部23を介して両手首Ｅが結び付けられているので、両腕Ｃが一体感となった状態で身体の前に下げられて、両腕Ｃと両肩Ｆとによって形成された三角形が保持される。
【００７５】
したがって、グリップ位置が左足位置から上方に上がったときに、ゴルフクラブ３のグリップ部3aが基体22のグリップ嵌合部24でコック方向に回動するように揺動してコックが始まり、図９に示すように、スイングの終わりのフィニッシュ位置でトップスイングと対称的な位置となって、正しいゴルフボール４の打撃ができる。
【００７６】
また、基体22のグリップ嵌合部24に嵌合させたゴルフクラブ３は、この基体22のグリップ嵌合部24のコック角度規制部26にて、基体22とゴルフクラブ３との角度が略９０゜で保持されてコック角度位置に規制されるとともに、アンコック角度規制部27にてアンコック角度位置に規制される。したがって、トップスイング位置からダウンスイングでゴルフクラブ３を振り下ろし、ゴルフボール４をインパクトするとき、両手の中央にゴルフクラブ３が確実に位置したアドレス状態になり、正確にゴルフボール４を打撃できる。
【００７７】
したがって、スイングサポータ２を装着しつつスイング補助具21を用いることによって、上述の第１の実施の形態と同様に、両腕Ｃが身体側に引き寄せられ前後方向のぶれが規制された正しいフォームでゴルフのスイングを容易に練習できるとともに、スイング補助具21による装着者Ａの規制によって正しい姿勢でゴルフボール４の打撃を練習できる。このため、正しいフォームでゴルフクラブ３のスイングを無理な力を入れることなく自然に練習できるから、このフォームでゴルフボール４の打撃を練習することによって、ゴルフボール４の飛距離をより長くできるとともに、このゴルフボール４を正確に飛ばすことができる。
【００７８】
なお、上記各実施の形態では、スイングサポータ２の各巻き付け部６それぞれの先端部に取り付けられているクリップ体９を、装着者Ａの手首Ｅや手Ｇに装着させたリストバンド11やグローブ18の縁部19に固定させたが、スイングサポータ２の各巻き付け部６それぞれの先端部を、装着者Ａの手首Ｅ近傍に取り付けて固定できれば、どのような構成であってもよい。例えば、装着者Ａが長袖の衣類を着用している場合には、この長袖の衣類の手首部分に、スイングサポータ２の各巻き付け部６それぞれの先端部に取り付けられているクリップ体９を固定させてもよい。
【００７９】
また、スイングサポータ２の巻き付け部６の先端部にクリップ体９を取り付けて、これら巻き付け部６それぞれの先端部をリストバンド11やグローブ18に取り外し可能に取り付けて固定させる構成としたが、これら巻き付け部６それぞれの先端部をリストバンド11やグローブ18などに縫い付けるなどして固定させる構成とすることもできる。
【図面の簡単な説明】
【００８０】
【図１】本発明の第１の実施の形態のゴルフスイング練習具を示す説明図である。
【図２】同上ゴルフスイング練習具を用いたアドレス状態を示す説明図である。
【図３】同上ゴルフスイング練習具を用いたトップスイング状態を示す説明図である。
【図４】同上ゴルフスイング練習具を用いたフィニッシュ状態を示す説明図である。
【図５】本発明の第２の実施の形態のゴルフスイング練習具を用いたトップスイング状態を示す説明図である。
【図６】本発明の第３の実施の形態のゴルフスイング練習具とともに使用されるスイング補助具を示す説明図である。
【図７】同上ゴルフスイング練習具とともにスイング補助具を用いたアドレス状態を示す説明図である。
【図８】同上ゴルフスイング練習具とともにスイング補助具を用いたトップスイング状態を示す説明図である。
【図９】同上ゴルフスイング練習具とともにスイング補助具を用いたフィニッシュ状態を示す説明図である。
【符号の説明】
【００８１】
２    ゴルフスイング練習具としてのスイングサポータ
６    巻き付け部
８    巻き付け調節部としての長さ調節機構
11    サポータとしてのリストバンド
13    たすき調節部としての長さ調節機構
15    たすき本体
16    たすき掛け部
18    サポータとしてのグローブ
【図１】
2006055267.tif 000003
【図２】
2006055267.tif 000004
【図３】
2006055267.tif 000005
【図４】
2006055267.tif 000006
【図５】
2006055267.tif 000007
【図６】
2006055267.tif 000008
【図７】
2006055267.tif 000009
【図８】
2006055267.tif 000010
【図９】
2006055267.tif 000011